(57)【要約】【課題】足載せをシートバックの背面部に形成された凹部内に見栄え良く収納できるようにすること。【解決手段】シートバック２の背面部２Ａに後倒し状に展開されて使用される後席用のオットマン１０（足載せ）が設けられたシート１であって、シートバック２の背面部２Ａに形成されオットマン１０を前起し状に収納することのできる凹部２Ｂと、オットマン１０の上面部１０Ａ上から上面部１０Ａに沿って筋状に突出する玉縁１３Ｂ１と、を有する。オットマン１０が凹部２Ｂ内に収納された状態では、玉縁１３Ｂ１が凹部２Ｂ内の対面する斜面部２Ｂ１に線状に当接してオットマン１０の上面部１０Ａと凹部２Ｂ内の斜面部２Ｂ１との間に形成される隙間Ｔを外部に対して覆う。【選択図】図４
2018188025.tif 000002
【特許請求の範囲】
【請求項１】
シートバックの背面部に後倒し状に展開されて使用される後席用の足載せが設けられた乗物用シートであって、
前記シートバックの背面部に形成され前記足載せを前起し状に収納することのできる凹部と、
前記足載せの周囲側面部上から該周囲側面部に沿って筋状に突出する突条部と、を有し、
前記足載せが前記凹部内に収納された状態では、前記突条部が前記凹部の内周面部に線状に当接して前記足載せの周囲側面部と前記凹部の内周面部との間に形成される隙間を外部に対して覆う乗物用シート。
【請求項２】
請求項１に記載の乗物用シートであって、
前記凹部内の上面部が前下がり状に傾斜した斜面部として形成され、
前記足載せの前記凹部内に収納された時の前記斜面部と対面する上面部に前記突条部が形成されて、該突条部が前記斜面部に線状に当接する乗物用シート。
【請求項３】
請求項１又は請求項２に記載の乗物用シートであって、
前記突条部が、前記足載せの前記凹部内に収納された時の前記凹部内の開口側の縁部に位置するように形成されている乗物用シート。
【発明の詳細な説明】
【技術分野】
【０００１】
本発明は、乗物用シートに関する。詳しくは、シートバックの背面部に後倒し状に展開されて使用される後席用の足載せが設けられた乗物用シートに関する。
【背景技術】
【０００２】
従来、乗物用シートにおいて、シートバックの背面部に、同背面部から後倒し状に展開されて使用される後席用の足載せが設けられた構成が知られている（特許文献１）。上述した足載せは、その不使用時には、上述したシートバックの背面部に形成された凹部内に収められてシートバックの背面部から張り出さない状態に保持されるようになっている。
【先行技術文献】
【特許文献】
【０００３】
【特許文献１】特許第５１３８２５６号公報
【発明の概要】
【発明が解決しようとする課題】
【０００４】
上記従来技術では、シートバックの背面部に形成された凹部が、足載せを内部に適切な形に収められるように足載せよりもひと回り大きな凹形状とされている。そのため、足載せの収納状態において、凹部との間に見栄えを悪くする隙間が形成されてしまう。本発明は、上記問題を解決するものとして創案されたものであって、本発明が解決しようとする課題は、足載せをシートバックの背面部に形成された凹部内に見栄え良く収納できるようにすることにある。
【課題を解決するための手段】
【０００５】
上記課題を解決するために、本発明の乗物用シートは次の手段をとる。
【０００６】
第１の発明は、シートバックの背面部に後倒し状に展開されて使用される後席用の足載せが設けられた乗物用シートであって、シートバックの背面部に形成され足載せを前起し状に収納することのできる凹部と、足載せの周囲側面部上から周囲側面部に沿って筋状に突出する突条部と、を有する。足載せが凹部内に収納された状態では、突条部が凹部の内周面部に線状に当接して足載せの周囲側面部と凹部の内周面部との間に形成される隙間を外部に対して覆う。
【０００７】
この第１の発明によれば、足載せの周囲側面部に形成された突条部により、足載せをシートバックの背面部に形成された凹部内に収納した際に足載せの周囲側面部と凹部の内周面部との間に形成される隙間を周囲側面部に沿った広い範囲に亘って適切に覆うことができ、足載せを凹部内に見栄え良く収納することができる。
【０００８】
第２の発明は、上述した第１の発明において、次の構成とされているものである。凹部内の上面部が前下がり状に傾斜した斜面部として形成されている。足載せの凹部内に収納された時の斜面部と対面する上面部に突条部が形成されて、突条部が斜面部に線状に当接する。
【０００９】
この第２の発明によれば、凹部内の上面部が前下がり状に傾斜した斜面部とされていることで後席の着座者の視線から見えやすくなる足載せとの間の隙間を、突条部によって適切に覆うことができる。
【００１０】
第３の発明は、上述した第１又は第２の発明において、次の構成とされているものである。突条部が、足載せの凹部内に収納された時の凹部内の開口側の縁部に位置するように形成されている。
【００１１】
この第３の発明によれば、足載せの周囲側面部と凹部の内周面部との間に形成される隙間を外部に対してより適切に覆うことができる。
【図面の簡単な説明】
【００１２】
【図１】実施例１の乗物用シートの概略構成を表した斜視図である。
【図２】オットマンを凹部内に収納した状態を表した斜視図である。
【図３】図１のIII-III線断面図である。
【図４】図２のIV-IV線断面図である。
【図５】図２のV-V線断面図である。
【発明を実施するための形態】
【００１３】
以下に、本発明を実施するための形態について、図面を用いて説明する。
【実施例１】
【００１４】
《シート１の概略構成について》
始めに、実施例１のシート１（乗物用シート）の構成について、図１〜図５を用いて説明する。なお、以下の説明において、前後上下左右等の各方向を示す場合には、各図中に示されたそれぞれの方向を指すものとする。また、「シート幅方向」と示す場合には、シート１の左右方向を指し、「シート高さ方向」と示す場合には、シート１の上下方向を指し、「シート前後方向」と示す場合には、シート１の前後方向を指すものとする。
【００１５】
本実施例のシート１は、図１に示すように、自動車の前側座席として構成されており、着座者の背凭れ部となるシートバック２と、着座部となるシートクッション３と、を備えた構成とされている。上述したシートバック２は、その左右両サイドの下端部が、それぞれ、不図示のリクライナを介してシートクッション３の左右両サイドの後端部に連結されている。また、シートクッション３は、車両のフロアに対して、図示しない左右一対のスライドレールを間に介してシート前後方向の位置を調節することができる状態に連結されている。
【００１６】
上述したシートバック２の背面部２Ａには、不図示の後側座席の着座者が後倒し状に展開させて使用することのできる略平板形状のオットマン１０が設けられている。ここで、上述したオットマン１０が本発明の「足載せ」に相当する。上述したオットマン１０は、上述したシートバック２の背面部２Ａから後倒し状に展開されることにより、図１及び図３に示すように、上述した不図示の後側座席に座る着座者の左右の下腿部から踵にかけての部分を上側から載せて面状に下支えすることのできる後傾姿勢へと切り換えられるようになっている。
【００１７】
また、上述したオットマン１０は、その不使用時には、図２及び図４〜図５に示すように、上述したシートバック２の背面部２Ａへと前起し状に跳ね上げられることにより、シートバック２の背面部２Ａに形成された凹部２Ｂ内に収納されてシートバック２の背面部２Ａと面一状となる形に切り換えられるようになっている。その際、上述したオットマン１０は、図４に示すように、その収納された時の天板面側となる上面部１０Ａが、同上面部１０Ａと対面する凹部２Ｂ内の天板面側となる前下がり状に傾斜した斜面部２Ｂ１との間に、シート高さ方向に僅かな隙間Ｔを形成する状態に収納されるようになっている。ここで、上述した上面部１０Ａが本発明の「周囲側面部」に相当し、凹部２Ｂ内の天板面側の斜面部２Ｂ１が本発明の「内周面部」に相当する。
【００１８】
しかし、上述したオットマン１０は、上述した収納時には、その上面部１０Ａの後側の縁部に沿って筋状に突出する形に設けられた玉縁１３Ｂ１が、上述した凹部２Ｂ内の斜面部２Ｂ１の開口側となる後側の縁部に下側から線状に当接するようになっている。その結果、オットマン１０がシートバック２の凹部２Ｂ内に収納された状態では、上述した玉縁１３Ｂ１が凹部２Ｂ内の斜面部２Ｂ１との間に形成される隙間Ｔを外部に対して覆う形となり、オットマン１０が凹部２Ｂ内に外部から隙間Ｔの見えない形に見栄え良く収納されるようになっている。
【００１９】
以下、上述したオットマン１０及びシートバック２の各部の具体的な構成について詳しく説明していく。オットマン１０は、その内部骨格を成す略枠状に組まれた金属製のフレーム材１１と、フレーム材１１に外周側から包む形にセットされて外部荷重を弾性的に受け止める発泡ウレタン製のパッド材１２と、パッド材１２の外表面全体に被覆されたカバー材１３と、を有する。
【００２０】
上述したフレーム材１１は、オットマン１０の外周形状に沿った略四角枠状の骨格形状に形成されている。上述したフレーム材１１の左右両サイドの下端部には、それぞれ、図１で上述したシート１への取り付け部材となる取付アーム１１Ａが一体的に延び出す形に溶接されている。上述した各取付アーム１１Ａは、それぞれ、図３に示すように、上述したパッド材１２やカバー材１３を突き抜けてシート１内に設けられた駆動モータＭの駆動軸Ｍａに連結されている。
【００２１】
上記連結により、オットマン１０が、上述した駆動モータＭの駆動回転に伴って、駆動軸Ｍａを中心に、図１及び図３で上述した使用位置と、図２及び図４で上述した収納位置と、の間で動かされるようになっている。また、上述したオットマン１０は、その動かされた任意の位置で駆動モータＭの回転が止められることにより、駆動モータＭのブレーキ力によって回転止めされた状態となって位置保持されるようになっている。
【００２２】
パッド材１２は、上述したフレーム材１１に外周側から包む形にセットされて、オットマン１０の基本形状を形作った状態とされている。カバー材１３は、上述したパッド材１２の外表面全体を覆う形に被せ付けられている。詳しくは、上述したカバー材１３は、図１及び図３に示すように、オットマン１０の展開時の使用される側の面となる上面とその周囲側面とを被覆するファブリック製の使用面側カバー１３Ａと、図２及び図４に示すように、オットマン１０の収納時にシートバック２の背面部２Ａと面一状の背面を形成する面剛性のある板材から成る裏蓋ボード１３Ｂと、によって構成されている。
【００２３】
上述した裏蓋ボード１３Ｂは、樹脂製の板材の表層側にゴム製の板材が積層状に一体化された状態に設けられ、更にその表層側にファブリック製の表皮材が積層状に一体化された状態に設けられた、３層構造を持つ構成とされている。上記構成により、裏蓋ボード１３Ｂは、その表層側の感触が軟らかいながらも、内部の剛性が高い構成とされており、オットマン１０の収納時に後側から蹴られるなどの外部荷重を受けても大きな変形を伴わずにその荷重を受け止めることができるようになっている。
【００２４】
上述した裏蓋ボード１３Ｂには、図４に示すように、そのオットマン１０が収納された時の上側となる上縁部に沿って、オットマン１０の使用面側カバー１３Ａにより覆われた上面部１０Ａよりも上側に突出する形でシート幅方向の略全域に亘って筋状に延びる玉縁１３Ｂ１が形成されている。上述した玉縁１３Ｂ１は、上述した上面部１０Ａの後側の縁部に位置して、オットマン１０がシートバック２の凹部２Ｂ内に収納された時には、その横断面円形状を成す外周面の一部が、凹部２Ｂ内の天板面側となる前下がり状に傾斜した斜面部２Ｂ１の後側の縁部にシート幅方向の全域に亘って下側から線状に当接して、オットマン１０の上面部１０Ａと凹部２Ｂ内の斜面部２Ｂ１との間に形成される隙間Ｔを外部に対して露出させないように広く覆うようになっている。
【００２５】
上述したシートバック２の背面部２Ａ及び凹部２Ｂは、上述した裏蓋ボード１３Ｂと同じ、３層構造を持つ面剛性のある板材（バックボード）により形成されている。したがって、上述したオットマン１０が収納された時には、上述した玉縁１３Ｂ１が凹部２Ｂの斜面部２Ｂ１に対して表面的に軟らかく当たって、各々の間に僅かな撓みを生じさせて各々の間を見栄え良く密着させた形にして閉じることができる。
【００２６】
《まとめ》
以上をまとめると、本実施例のシート１は次のような構成となっている。すなわち、シートバック（シートバック２）の背面部（背面部２Ａ）に後倒し状に展開されて使用される後席用の足載せ（オットマン１０）が設けられた乗物用シート（シート１）であって、シートバック（シートバック２）の背面部（背面部２Ａ）に形成され足載せ（オットマン１０）を前起し状に収納することのできる凹部（凹部２Ｂ）と、足載せ（オットマン１０）の周囲側面部（上面部１０Ａ）上から周囲側面部（上面部１０Ａ）に沿って筋状に突出する突条部（玉縁１３Ｂ１）と、を有する。足載せ（オットマン１０）が凹部（凹部２Ｂ）内に収納された状態では、突条部（玉縁１３Ｂ１）が凹部（凹部２Ｂ）の内周面部（斜面部２Ｂ１）に線状に当接して足載せ（オットマン１０）の周囲側面部（上面部１０Ａ）と凹部（凹部２Ｂ）の内周面部（斜面部２Ｂ１）との間に形成される隙間Ｔを外部に対して覆う。
【００２７】
このような構成とされていることにより、足載せ（オットマン１０）の周囲側面部（上面部１０Ａ）に形成された突条部（玉縁１３Ｂ１）により、足載せ（オットマン１０）をシートバック（シートバック２）の背面部（背面部２Ａ）に形成された凹部（凹部２Ｂ）内に収納した際に足載せ（オットマン１０）の周囲側面部（上面部１０Ａ）と凹部（凹部２Ｂ）の内周面部（斜面部２Ｂ１）との間に形成される隙間（隙間Ｔ）を周囲側面部（上面部１０Ａ）に沿った広い範囲に亘って適切に覆うことができ、足載せ（オットマン１０）を凹部（凹部２Ｂ）内に見栄え良く収納することができる。
【００２８】
また、凹部（凹部２Ｂ）内の上面部が前下がり状に傾斜した斜面部（斜面部２Ｂ１）として形成されている。足載せ（オットマン１０）の凹部（凹部２Ｂ）内に収納された時の斜面部（斜面部２Ｂ１）と対面する上面部（上面部１０Ａ）に突条部（玉縁１３Ｂ１）が形成されて、突条部（玉縁１３Ｂ１）が斜面部（斜面部２Ｂ１）に線状に当接する。このように、凹部（凹部２Ｂ）内の上面部が前下がり状に傾斜した斜面部（斜面部２Ｂ１）とされていることで後席の着座者の視線から見えやすくなる足載せ（オットマン１０）との間の隙間（隙間Ｔ）を、突条部（玉縁１３Ｂ１）によって適切に覆うことができる。
【００２９】
また、突条部（玉縁１３Ｂ１）が、足載せ（オットマン１０）の凹部（凹部２Ｂ）内に収納された時の凹部（凹部２Ｂ）内の開口側の縁部に位置するように形成されている。このような構成とされていることにより、足載せ（オットマン１０）の周囲側面部（上面部１０Ａ）と凹部（凹部２Ｂ）の内周面部（斜面部２Ｂ１）との間に形成される隙間（隙間Ｔ）を外部に対してより適切に覆うことができる。
【００３０】
《その他の実施形態について》
以上、本発明の実施形態を１つの実施例を用いて説明したが、本発明は上記実施例のほか各種の形態で実施することができるものである。例えば、本発明の乗物用シートは、鉄道等の自動車以外の車両や、航空機、船舶等の他の乗物用に供されるシートにも広く適用することができるものである。
【００３１】
また、足載せは、上記実施例で示したような着座者の下腿部を載せるオットマンの他、特開２００８−２３９０１３号公報等の文献に開示されるような着座者の足先を載せるフットレストであってもよい。
【００３２】
また、足載せの周囲側面部上から筋状に突出する突条部は、足載せの収納された時の上面部の他、収納された時の横側面部に形成されるものであってもよい。また、上記突条部は、上述した足載せの凹部内に収納された時の凹部内の開口側の縁部ではなく、開口側の縁部から凹部内に入り込んだ途中位置に形成されたものであってもよい。また、上述した突条部は、断面正円状に突出する玉縁から成るものの他、断面台形状や三角形状に突出する形状から成るものであってもよい。また、上述した突条部は、足載せの周囲側面部における一辺の全域に亘って形成されていなくてもよく、一部に形成されたものであってもよい。また、上記足載せの突条部が線状に当てられる凹部の内周面部は、同内周面部と対面する足載せの周囲側面部と略平行を成す形に形成されたものであってもよい。
【符号の説明】
【００３３】
１      シート
２      シートバック
２Ａ    背面部
２Ｂ    凹部
２Ｂ１  斜面部（内周面部）
３      シートクッション
１０    オットマン（足載せ）
１０Ａ  上面部（周囲側面部）
１１    フレーム材
１１Ａ  取付アーム
１２    パッド材
１３    カバー材
１３Ａ  使用面側カバー
１３Ｂ  裏蓋ボード
１３Ｂ１  玉縁（突条部）
Ｍ    駆動モータ
Ｍａ  駆動軸
Ｔ      隙間
【図１】
2018188025.tif 000003
【図２】
2018188025.tif 000004
【図３】
2018188025.tif 000005
【図４】
2018188025.tif 000006
【図５】
2018188025.tif 000007